(57)【要約】【課題】中継コネクタ全体を大型化させることなくパッキンを中継コネクタに取り付け可能にする。【解決手段】本発明は、ボルト締結部２８を有しインバータケース３０にボルト止めされる中継コネクタ２０に取り付けられるパッキン１０であって、中継コネクタ２０との合わせ面で圧着されるパッキン本体１１と、パッキン本体１１と一体に設けられ、ボルト締結部２８に係止することでパッキン本体１１を中継コネクタ２０の取付溝２７に保持する係止部１３とを備えた構成としたところに特徴を有する。【選択図】図１
2009295550.tif 000002
【特許請求の範囲】
【請求項１】
ボルト締結部を有し相手側部材にボルト止めされるコネクタに取り付けられるパッキンであって、
前記コネクタと前記相手側部材の合わせ面で圧着されるパッキン本体と、
前記パッキン本体と一体に設けられ、前記ボルト締結部に係止することで前記パッキン本体を前記コネクタの合わせ面に保持する係止部とを備えたことを特徴とするパッキン。
【請求項２】
前記ボルト締結部は、段差を挟んで大径部と小径部を有するカラーと、前記大径部が圧入される圧入部と、前記小径部に対応して前記圧入孔の周壁から突出して設けられた被係止部とを備え、前記係止部は、前記被係止部と前記カラーの圧入方向に係止する請求項１に記載のパッキン。
【請求項３】
前記係止部は、前記段差と前記被係止部との間で押圧される請求項２に記載のパッキン。
【請求項４】
前記パッキン本体と前記係止部は、前記パッキン本体よりも薄肉に形成された連結部によって連結されている請求項２または請求項３に記載のパッキン。
【請求項５】
請求項１ないし請求項４のいずれか一項に記載のパッキンの取付構造において、前記コネクタは、前記相手側部材に設けられた取付孔に装着されるハウジングを備え、前記パッキン本体は、前記ハウジングと前記取付孔の開口縁部の合わせ面で圧着されるパッキンの取付構造。
【発明の詳細な説明】
【技術分野】
【０００１】
本発明は、パッキンおよびパッキンの取付構造に関する。
【背景技術】
【０００２】
従来、パッキンをコネクタに取り付ける取付構造として、例えば下記特許文献１に記載のものが知られている。このものは、パッキンをコネクタに取り付ける際の保持構造として、コネクタの外面に被係止部が張り出して設けられる一方、パッキンの外周部分には、被係止部に係止させる係止部が設けられている。この係止部を被係止部に係止させることにより、パッキンがコネクタに取り付け固定されている。
【特許文献１】特開２００４−３２７１６９公報
【発明の開示】
【発明が解決しようとする課題】
【０００３】
しかしながら、ボルト締結部を有し相手側部材にボルト止めされるコネクタにあっては、ボルト締結部と干渉しない位置に被係止部を設ける必要があるため、コネクタ全体が大型化してしまう。かといって、被係止部をなくすと、パッキンを手で押さえながらコネクタを相手側部材に取り付け固定する必要があるため、取り付け作業がしにくくなる。
【０００４】
本発明は上記のような事情に基づいて完成されたものであって、コネクタ全体を大型化させることなくパッキンをコネクタに取り付け可能にすることを目的とする。
【課題を解決するための手段】
【０００５】
本発明は、ボルト締結部を有し相手側部材にボルト止めされるコネクタに取り付けられるパッキンであって、コネクタと相手側部材の合わせ面で圧着されるパッキン本体と、パッキン本体と一体に設けられ、ボルト締結部に係止することでパッキン本体をコネクタの合わせ面に保持する係止部とを備えた構成としたところに特徴を有する。
【０００６】
このような構成によると、係止部をボルト締結部に係止させることでパッキン本体をコネクタの合わせ面に保持することができる。このように、ボルト締結部とは別に係止部を係止させる箇所を設けなくてよいため、コネクタ全体を大型化させなくてもよい。
【０００７】
本発明の実施の態様として、以下の構成が好ましい。
ボルト締結部は、段差を挟んで大径部と小径部を有するカラーと、大径部が圧入される圧入部と、小径部に対応して圧入孔の周壁から突出して設けられた被係止部とを備え、係止部は、被係止部とカラーの圧入方向に係止する構成としてもよい。
このような構成によると、カラーの大径部を圧入部に圧入することによりカラーが固定されるとともに、係止部と被係止部をカラーの圧入方向に係止させることによりパッキン本体をコネクタの合わせ面に保持することができる。
【０００８】
係止部は、段差と被係止部との間で押圧される構成としてもよい。
このような構成によると、段差によって係止部を被係止部に押さえ付けることでパッキン本体を確実に取り付け固定することができる。
【０００９】
パッキン本体と係止部は、パッキン本体よりも薄肉に形成された連結部によって連結されている構成としてもよい。
このような構成によると、係止部が正規の位置からずれて成形されていても、連結部で位置ずれを吸収することができるため、パッキン本体を変形させることなく合わせ面で圧着することができる。したがって、パッキンの防水性能を維持することができる。
【００１０】
上記のパッキンの取付構造において、コネクタは、相手側部材に設けられた取付孔に装着されるハウジングを備え、パッキン本体は、ハウジングと取付孔の開口縁部の合わせ面で圧着される構成としてもよい。
このような構成によると、ハウジングと相手側部材の取付孔の開口縁部との間でパッキン本体を圧着することができる。
【発明の効果】
【００１１】
本発明によれば、コネクタ全体を大型化させることなくパッキンをコネクタに取り付けることができる。
【発明を実施するための最良の形態】
【００１２】
＜実施形態１＞
本発明の実施形態１を図１ないし図６の図面を参照しながら説明する。本実施形態のパッキン１０は、図１ないし図３に示すように、面シール構造を有する中継コネクタ２０の合わせ面２１に取り付けられるものである。この中継コネクタ２０は、図１および図２に示すように、電気自動車やハイブリッド自動車などに組み込まれるインバータケース（本発明の「相手側部材」の一例）３０の取付孔３１に装着されて使用される。
【００１３】
パッキン１０は合成樹脂製で、図４に示すように、略長方形の環状をなすパッキン本体１１、パッキン本体１１の短辺側から外側に張り出して設けられた一対の係止部１３などを備えている。両係止部１３は、パッキン本体１１の長手方向両側にそれぞれ１個ずつ配置されている。パッキン本体１１は、中継コネクタ２０の合わせ面２１に配置され、インバータケース３０との間で圧着されることにより取付孔３１の内部を防水するための部材である。
【００１４】
係止部１３は、図６に示すように、連結部１４によってパッキン本体１１と連結されている。連結部１４は、パッキン本体１１よりも薄肉に形成されており、伸縮自在とされている。このため、連結部１４は、係止部１３が正規の位置からずれて成形された場合であっても、係止部１３の位置ずれを吸収してパッキン本体１１の変形を防ぐことができるように構成されている。
【００１５】
係止部１３は略円筒状とされているため、後述するカラー４０の小径部４３の外周側に嵌合可能とされている。係止部１３の軸方向上端部には、径方向外側に張り出すフランジ部１５が周設されている。一方、係止部１３の軸方向下端部には、連結部１４が接続されている。
【００１６】
中継コネクタ２０は、図３に示すように、合成樹脂製のハウジング２２を有し、ハウジング２２の幅方向両側には、一対の取付部２３が張り出して設けられている。取付部２３は略三角形状をなし、取付部２３には、ボルト締結部２８が設けられている。ボルト締結部２８の構造については、後に詳述する。なお、ハウジング２２とインバータケース３０とが対面する部分によって合わせ面２１，３２が構成されている。
【００１７】
ハウジング２２の前後方向（相手側コネクタとの嵌合方向）における両側には、図１に示すように、一対のフード部２４が設けられている。前側（図１におけるインバータケース３０側）のフード部２４は、前側に開口するフード状をなし、後側（図１におけるインバータケース３０とは反対側）のフード部２４は、後側に開口するフード状をなしている。両フード部２４は、前後方向に対応する位置に設けられている。
【００１８】
前側のフード部２４は、合わせ面２１よりも前側に突出する形態をなし、インバータケース３０に設けられた取付孔３１の内部に差し込まれる。一方、後側のフード部２４は、取付部２３よりも後側に突出する形態をなしている。なお、前側フード部２４は、後側のフード部２４よりも一回り小さめに形成されている。
【００１９】
両フード部２４の奥壁２５には、同奥壁２５を前後方向に貫通して複数の端子２６が圧入もしくはインサート成形により固定されている。これらの端子２６の前後両端部は、それぞれ両フード部２４の開口縁よりも奥壁２５寄りに配置されている。このため、端子２６は、両フード部２４に覆われ、側方からの衝撃に対して端子２６を有効に保護することができる。
【００２０】
ハウジング２２の合わせ面２１において前側のフード部２４の周囲には、図３に示すように、パッキン本体１１が装着される取付溝２７が周設されている。取付溝２７は、合わせ面２１よりも一段低く形成されている。取付溝２７にパッキン本体１１が取り付けられると、パッキン本体１１は、図１に示すように、合わせ面２１よりも突出するように設定されている。このため、中継コネクタ２０をインバータケース３０に固定すると、パッキン本体１１が取付溝２７と取付孔３１の開口縁部との間で圧着される。
【００２１】
また、取付溝２７の幅は、パッキン本体１１の幅よりも大きめとされている。このため、取付溝２７に取り付けられたパッキン本体１１は、取付溝２７の内部で位置調整が可能となっている。
【００２２】
ハウジング２２の合わせ面２１において取付溝２７とボルト締結部２８との間には、これらを接続する収容溝２９が形成されている。収容溝２９は、パッキン本体１１が取付溝２７に取り付けられたときに、連結部１４を収容可能である。また、収容溝２９の深さ寸法は、連結部１４の厚みとほぼ同じに設定されている。このため、連結部１４を収容溝２９とインバータケース３０の合わせ面３２との間に収容することができる。
【００２３】
さて、本実施形態では中継コネクタ２０を相手側部材にボルト止めするためのボルト締結部２８を利用してパッキン１０を中継コネクタ２０に取り付けることができるようになっている。このボルト締結部２８は、図１に示すように、金属製のカラー４０と、カラー４０が圧入される圧入部２８Ａと、圧入部２８Ａより下方部分を構成し、フランジ部１５とカラー４０の圧入方向に係止する被係止部２８Ｂとを備えて構成されている。
【００２４】
カラー４０は略円筒状をなし、ボルト５０のねじ部が挿通される挿通孔を有している。この挿通孔は、軸方向に沿って同一の内径を有している。一方、カラー４０の外周面は、段差４１を境にして異なる外径を有している。すなわち、カラー４０は、段差４１を挟んで大径部４２と小径部４３を一体に備えた構成である。また、カラー４０は、全体として取付部２３の板厚よりもやや大きめの高さを有している。大径部４２の高さは、小径部４３の高さよりも小さめとされている。
【００２５】
圧入部２８Ａは、大径部４２を圧入可能な内径を有している。圧入部２８Ａの深さ寸法は、大径部４２の高さ寸法よりも大きめとされている。このため、大径部４２が圧入部２８Ａに圧入されると、大径部４２の下面となる段差４１と被係止部２８Ｂの上面との間には、所定の隙間が形成される。この隙間には、パッキン１０のフランジ部１５が入り込むようになっている。また、この隙間は、フランジ部１５の厚みよりも小さめとされている。このため、フランジ部１５は、段差４１と被係止部２８Ｂの上面との間で押圧される。
【００２６】
被係止部２８Ｂは、小径部４３の外周面と対向するとともに、圧入部２８Ａの内周面よりも径方向内側に突出して設けられている。また、被係止部２８Ｂと小径部４３との間には、係止部１３のうちフランジ部１５より下方部分が収容されている。すなわち、フランジ部１５は、被係止部２８Ｂとカラー４０の圧入方向に係止している。これにより、パッキン本体１１を取付溝２７に保持することができる。
【００２７】
一方、インバータケース３０の合わせ面３２には、ボルト５０を締め込むためのボルト孔３３が形成されている。ボルト孔３３は、カラー４０の挿通孔と同軸で配置されている。これにより、カラー４０を挿通させてボルト５０のねじ部をボルト孔３３に締め込み、ボルト５０とボルト孔３３の開口縁部との間でカラー４０が挟持されることで中継コネクタ２０がインバータケース３０に固定される。これに伴って、パッキン本体１１が取付溝２７と取付孔３１の開口縁部との間で圧着される。
【００２８】
次に、パッキン１０の中継コネクタ２０への取付方法および中継コネクタ２０のインバータケース３０への取付方法について説明する。
パッキン１０を中継コネクタ２０へ取り付けるには、まず、係止部１３を被係止部２８Ｂ側から圧入部２８Ａ側に向けて押し込む。すると、フランジ部１５が圧入部２８Ａ側に嵌り込み、パッキン本体１１が取付溝２７に収容され、連結部１４が収容溝２９に収容される。こうして、フランジ部１５と被係止部２８Ｂとがカラー４０の圧入方向に係止することにより、パッキン本体１１が取付溝２７に保持される。このとき、連結部１４が伸縮することにより係止部１３の位置ずれを吸収することができるから、パッキン本体１１の変形を防ぐことができる。したがって、パッキン１０の防水性能を維持することができる。
【００２９】
中継コネクタ２０をインバータケース３０に取り付けるには、前側のフード部２４を取付孔３１に差し込んで、両合わせ面２１，３２を対面させる。次に、ボルト５０をカラー４０の挿通孔を通してボルト孔３３に締め込む。この締め込みに伴って、パッキン本体１１は、取付溝２７と取付孔３１の開口縁部との間で圧着される。すると、図２に示すように、パッキン本体１１は、取付溝２７と取付孔３１の開口縁部との双方に密着し、取付孔３１の内部が防水される。
【００３０】
以上のように本実施形態によると、係止部１３をボルト締結部２８に係止させることでパッキン本体１１を取付溝２７に保持することができる。このように、ボルト締結部２８とは別に係止部１３を係止させる箇所を設けなくてよいため、中継コネクタ２０全体を大型化させなくてもよい。
【００３１】
また、カラー４０の大径部４２を圧入部２８Ａに圧入してカラー４０を固定し、係止部１３を被係止部２８Ｂに押さえ付けるとともに係止部１３と被係止部２８Ｂをカラー４０の圧入方向に係止させることにより、パッキン本体１１を取付溝２７に確実に保持することができる。
【００３２】
また、連結部１４で係止部１３の位置ずれを吸収することができるため、パッキン本体１１を変形させることなく取付溝２７と取付孔３１の開口縁部との間で圧着することができる。したがって、パッキン１０の防水性能を維持することができる。
【００３３】
＜他の実施形態＞
本発明は上記記述及び図面によって説明した実施形態に限定されるものではなく、例えば次のような実施形態も本発明の技術的範囲に含まれる。
（１）本実施形態では相手側部材としてインバータケース３０を例示しているものの、本発明によると、相手側部材として取付用のブラケットなどであってもよい。
【００３４】
（２）本実施形態ではコネクタとして中継コネクタ２０を例示しているものの、本発明によると、ワイヤハーネスの端末に接続されたコネクタとしてもよい。
【００３５】
（３）本実施形態ではボルト締結部２８にカラー４０を含めているものの、本発明によると、ボルト締結部２８に必ずしもカラー４０を含めなくてもよい。
【００３６】
（４）本実施形態ではフランジ部１５がカラー４０の段差４１によって押圧されているものの、本発明によると、フランジ部１５を必ずしも段差４１で押圧しなくてもよい。
【００３７】
（５）本実施形態では連結部１４がパッキン本体１１よりも薄肉に形成されているものの、本発明によると、連結部１４をパッキン本体１１と同じ厚みで形成し、係止部１３と被係止部２８Ｂとの間に隙間を設けることにより、係止部１３の位置ずれを吸収してもよい。
【図面の簡単な説明】
【００３８】
【図１】パッキンが取り付けられた中継コネクタをインバータケースに固定する前の状態を側方から見た断面図
【図２】パッキンが取り付けられた中継コネクタをインバータケースに固定した状態を側方から見た断面図
【図３】パッキンが取り付けられた中継コネクタの正面図
【図４】パッキンの正面図
【図５】パッキンの背面図
【図６】パッキンの一部切り欠き側面図
【符号の説明】
【００３９】
１０…パッキン
１１…パッキン本体
１３…係止部
１４…連結部
１５…フランジ部
２０…中継コネクタ
２１…合わせ面
２２…ハウジング
２８…ボルト締結部
２８Ａ…圧入部
２８Ｂ…被係止部
２９…収容溝
３０…インバータケース（相手側部材）
３１…取付孔
３２…合わせ面
４０…カラー
４１…段差
４２…大径部
４３…小径部
【図１】
2009295550.tif 000003
【図２】
2009295550.tif 000004
【図３】
2009295550.tif 000005
【図４】
2009295550.tif 000006
【図５】
2009295550.tif 000007
【図６】
2009295550.tif 000008